【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
支持ライナと、前記ライナに結合された少なくとも１つの接着フィルムと、を備え、前記フィルムが、切れ目によって周囲が取り囲まれた複数のグラフィック要素と、前記グラフィック要素同士の間のカス部と、を備える、多層シートのカス取り用のカス取り装置であって、シート送り方向（Ｘ）を規定するシート支持面（１ａ）と、それぞれの閉鎖した切断境界によって境界が定められた前記カス部の部分を個別に除去するように前記面の上で作業するように適合された微細カス取り機構（８）と、前記カス部の単体の主部分を１回の通過で除去するように適合された粗カス取り機構（２１）と、閉鎖された切断境界によって境界が定められた前記カス部分の形状とその前記シート上の分布とに関する情報を取得し及び／又は受け取り及び／又は格納し、かつ、前記情報に応じて前記微細カス取り機構の動作を制御するように適合された制御手段と、を備え、前記装置が、前記グラフィック要素の前記形状及び分布を分析するカス取り分析手段及び切断手段をさらに備えるか又はカス取り分析手段及び切断手段に関連付けられ、前記分析手段及び切断手段が、前記制御手段に前記情報を送信するように適合され、前記分析手段及び切断手段が、前記グラフィック要素の１以上の縁に交差する同じカス部を切断するカス取り補助切れ目をマッピングし実施するように適合される、カス取り装置。
【請求項２】
前記カス取り補助切れ目が、前記微細カス取り機構（３）によって除去されるべき、閉鎖された切断周辺部によって規定される前記カス部の部分の数を増加させるように適合された切れ目を含む、請求項１に記載の装置。
【請求項３】
前記補助切れ目が、前記粗カス取り機構（２１）が追従する除去方向とは反対側を向いている頂点を有する、前記グラフィック要素によって形成されたそれぞれの鋭利なコーナに対応する単一の止まる切れ目を含む、請求項１又は２に記載の装置。
【請求項４】
追加の切れ目を確立する前記分析手段が、前記カス部に対して、順に、種々のグラフィック要素同士の間で延びる切れ目である全体的補助切れ目の分布と、単一グラフィック要素を縁取りする切れ目である局所的補助切れ目の分布と、をマッピングするように適合される、請求項２に記載の装置。
【請求項５】
間に全体的切れ目が挿入されるべき点の探索が、各グラフィック要素に対して、いくつのかついずれの他の図形が前記要素に近接又は隣接しているかを判断することと、前記隣接する要素同士の間の相互位置決めを特定しかつ特徴付けることと、全体的切れ目の実施に対して好ましいものとして、所定の方向に対して互いに完全に対向する２つの要素、すなわち、その方向に対して平行に２つの直線を引き基準要素のそれぞれの端部に対して通過させた場合に、他方の要素が、両方の線が交差する要素である、要素同士の間の空間を選択することと、前記直線の両方が交差しない要素である、互いに部分的に対向する前記要素を、前記基準要素の重心から最短距離に重心がある要素と置き換えることと、結果として選択された要素の対の前記端部に近接して各全体的切れ目の端点を設定することと、前記切れ目からもたらされる除去されるべきカス部多角形に関する情報を抽出し格納することと、を含む、請求項４に記載の装置。
【請求項６】
前記局所的切れ目の前記マッピングが、いかなる全体的切れ目によっても事前に他の要素と一緒にならなかったすべての前記グラフィック要素を分析することと、考慮している前記グラフィック要素の複素包絡多角形を特定することと、こうした多角形の前記グラフィック要素との交差を取得して、前記要素の凹面に関する情報を得ることと、前記凹面が、前記粗カス取り方向に基づいて前記カス部に裂けをもたらす可能性があるかどうか、又は、アンダーカットが形成されて局所的切れ目に進む必要があるかどうかを判断することと、この後者の目的のために、左上点、右上点、左下点及び右下点にそれぞれ対応する前記グラフィック要素の４つの点を特定することと、前記左下点が第１位置であるように、前記点のベクトルを右回りに順序付けて前記凹面の位置を求めることと、基準軸に対する方向の変化に留意することができる、前記凹面の周辺部の点を求めかつ分析して、前記凹面の幾何学的形状を確立することと、先行するステップの結果及び前記粗カス取り方向に応じて、アンダーカット配置の凹面領域を求めることと、アンダーカット配置の凹面の各領域に対して局所的切れ目を実施することと、を含む、請求項５に記載の装置。
【請求項７】
前記分析手段が、前記カス部分が前記微細カス取り機構（３）によってつままれるつまみ点を特定して、前記微細カス取り機構の作業スパンに基づいて周縁が設定されると、こうした周縁に関連する十分な広がりを有する部分を選択し、部分が凹面である場合、各部分の境界切れ目に沿って、前記周縁が切断セグメントと接しかつ除去されるべき前記カス部分の内部にあるように、前記つまみ点を選択し、又は、部分が凸形状を有する場合、実質的に重心位置におけるつまみ点を選択するように適合されている、請求項１〜６のいずれか１項に記載の装置。
【請求項８】
除去されるべき前記カス部の部分のサイズと前記つまみ点とに基づき、前記分析手段が、前記微細カス取り機構（３）が前記シートをカス取りするために実施しなければならない移動に関する制御情報を取得し送信するように適合され、前記命令が、重心つまみの場合、前記シート支持面から離れる持上げ移動又は周辺つまみの場合、考慮されている前記図形の前記重心に向かう前記面の上の変位及びその後の除去のための持上げを含む、請求項７に記載の装置。
【請求項９】
前記粗カス取り機構が、前記面（１ａ）上の前記シートの送り方向（Ｘ）に対して横切る横方向（Ｙ）に沿って前記面の上方に延在するつかみヘッド（２１）と、少なくとも前記送り方向（Ｘ）に従って前記つかみヘッド（２１）を駆動するように適合された支持及び駆動手段と、を備え、前記つかみヘッド（２１）が、前記送り方向（Ｘ）に一致する噴出方向で、前記面に対して実質的に平行にかつ前記面に隣接して加圧空気噴出を放出するように適合され、前記粗カス取り機構が、前記カス部をつかみ、それにより、前記つかみヘッド（２１）と前記シートとの間の相対運動が、前記支持ライナから前記カス部を分離するように適合された少なくとも一対のつかみ部材（３０、３１）を含むつかみ手段（３０、３１、３３、３５）を含み、前記空気噴出が、前記カス取り作用の安定化及び制御を提供し、前記機構が、前記横方向（Ｙ）に沿って配置され、前記面内で同一平面であり、かつ前記つかみヘッド（２１）との係合を補助するように上方に折畳み可能なシートフラップを得るように、前記支持ライナのみを切断するように適合された切断手段（２２）と、前記切断手段に関連し、前記フラップを折り畳むために前記面（１ａ）から持ち上げられるように適合された折畳み手段（３６）と、をさらに含む、請求項１〜８のいずれか１項に記載の装置。
【請求項１０】
前記加圧空気噴出が、選択的にかつ独立して操作されるように適合されたそれぞれの電子弁（２９）によって制御される複数の横に並んだセクタを備えた細長い空気噴出ブレード（２８）により、前記シート送り方向に一致して前記面（１ａ）の幅全体にわたって広がる、請求項９に記載の装置。
【請求項１１】
前記つかみヘッドが、前記つかみ部材（１３１）を支持するスライダ（１４１）を含み、前記スライダが、前記面（１０１ａ）に直交する方向（Ｚ）に沿ってリニアガイド手段（１４０ａ）の上で移動可能であり、前記リニアガイド手段（１４０ａ）が、前記面（１０１ａ）から上昇しかつ前記送り方向（Ｘ）に従って前記面（１０１ａ）に対して移動可能である入口（１４０）によって画定され、前記入口（１４０）により前記ブロワブレード（１２８）を引きずる、請求項１０に記載の装置。
【請求項１２】
前記ブレード（１２８）に、前記面（１０１ａ）に対して前記シートを押圧するように適合されたアイドルローラ（１３９）が関連付けられている、請求項１１に記載の装置。
【請求項１３】
前記入口（１４０）が、前記リニアガイド手段（１４０ａ）に沿って移動可能に、前記つかみ部材（１３１）によって分離された前記カス部を収集するカス部収集ユニットをさらに支持する、請求項１１又は１２に記載の装置。
【請求項１４】
前記微細カス取り機構が、中心軸（Ｚ，Ｚ’）を中心に軸方向対称の展開を有するつまみヘッド（８）を有するグリッパ（３）であって、前記ヘッド（８）が、前記中心軸（Ｚ）に近接しかつそこから離れるように半径方向に移動可能な複数の自動調心ジョー（１６）と、前記ジョー（１６）に搭載された、前記カス部の部分のそれぞれのつかみ手段（１７）とを含み、前記つまみ手段（１７）が、各ジョー（１６）に対して、対応するジョーから前方に突出し、前記ヘッドの閉鎖位置で種々のブロック間で相互接触して整合するように適合された正面小面（１７ａ）を有し、前記正面小面（１７ａ）が、前記ブロックの傾斜壁（１７ｃ）と協働して、前記カス部を把持する成形された角柱状先端（１７ｄ）を有する角錐状突起が形成されるように、軸方向拡張部を有する、請求項１〜１３のいずれか１項に記載の装置。
【請求項１５】
前記先端（１７ｄ）が、前記機構の前記軸（Ｚ）に沿って測定されかつ前記先端（１７ｄ）が分岐する前記傾斜壁（１７ｃ）から開始し、３／１０ミリメートルと８／１０ミリメートルとの間に含まれる高さを有する、請求項１４に記載の装置。
【請求項１６】
前記つまみヘッド（８）が、加工される前記材料に対して一定の圧力を与えるのを確実にするように適合されたダンパ（７）に搭載され、前記ダンパ（７）が、前記ヘッド（８）が接続されるステム（１０）の移動に弾性的に対向する弾性手段（９）を含む、請求項１〜１５のいずれか１項に記載の装置。
【請求項１７】
シート支持面（１ａ）と、前記支持面（１ａ）に実質的に直交するように前記グリッパを維持するように適合された前記グリッパ（３）用の支持手段（４）と、前記面によってかつ前記面に直交する前記中心軸（Ｚ）によって画定されるデカルト直交系（ＸＹＺ）において前記つまみヘッドを移動させるように適合された駆動手段（５、６）と、を含む、請求項１４〜１６のいずれか１項に記載の装置。
【請求項１８】
取出し位置にあるグリッパによる前記除去されたカス部の取出しステップを、つまみ位置にある別のグリッパに対して隠すように、回転ラック式に配置された２つ以上のグリッパ（３’）を含み、前記支持手段（４）と一体化されかつ前記取り出されたカス部を収集するように前記グリッパ（３’）に近接して配置された棚手段（４４）がさらに設けられている、請求項１７に記載の装置。
【請求項１９】
前記回転ラック配置が、作動手段（４２）により各グリッパの前記中心軸（Ｚ’）に平行な軸を中心に回転するように駆動された回転プレート（４１）を含み、前記グリッパ（３’）が、前記グリッパのそれぞれの中心軸（Ｚ’）に沿って直線往復運動自由度があるように前記回転プレート（４１）に搭載されている、請求項１８に記載の装置。
【請求項２０】
前記つまみステップにおいて適用される力を校正するようにつまみ位置にある前記グリッパ（３’）の後部に作用する前記プレート（４１）に固定された弾性プッシャ（４７）と、前記つまみ位置と前記取出し位置との間の高さの変動を補償するために、前記グリッパ（３’）と前記プレート（４１）との間に配置されたばね（４８）と、を含む、請求項１９に記載の装置。
【請求項２１】
前記取り出されたカス部を収集するために、場合によっては摺動可能な接着ベルトを含むか又はそれに関連付けられている、請求項１４〜２０のいずれか１項に記載の装置。
【請求項２２】
支持ライナと、前記ライナに結合された少なくとも１つの接着フィルムと、を備え、前記フィルムが、切れ目によって周囲が取り囲まれた複数のグラフィック要素と、前記グラフィック要素の間のカス部と、を備える、多層シートのカス取り方法であって、それぞれの閉鎖された切断境界によって境界が定められた前記カス部の部分を個々に除去するステップと、１回の通過で、それぞれの閉鎖された切断境界によって境界が定められた前記部分の外側の前記カス部の単体の主部分を除去するステップと、前記閉鎖された切断境界によって境界が定められた前記カス部分の形状と前記シート上の分布とに関する情報を取得しかつ／又は受け取りかつ／又は格納するステップと、前記情報応じて閉鎖された切断境界によって境界が定められた前記カス部分を個別に除去するステップと、を含み、前記グラフィック要素の前記形状及び前記分布が分析され、前記グラフィック要素の１つ又は複数の縁と交差する同じカス部を切断するカス取り補助切れ目が前記カス部に対して実施される、方法。
【請求項２３】
前記カス取り補助切れ目が、個別に除去される、閉鎖された切断周辺部によって画定される前記カス部の部分の数を増加させるように適合された切れ目を含む、請求項２２に記載の方法。
【請求項２４】
前記補助切れ目が、前記カス部の主部分の除去方向と反対側に向いた頂点を有する、前記グラフィック要素によって形成されるそれぞれの鋭利なコーナに対応する単一の止まる切れ目を含む、請求項２２又は２３に記載の方法。
【請求項２５】
閉鎖された切断境界によって画定される前記単一のカス部分のつまみ点が、部分が凹面である場合は、各部分の境界切れ目に沿って前記つまみ点を選択し、部分が凸形状である場合、実質的に重心位置にあるつまみ点を選択するように求められ、重心つまみの場合、前記カス部分の前記除去が、前記シート支持面から離れる持上げ移動によって発生し、又は、周辺つまみの場合、前記除去が、考慮されている図形の重心に向かう前記シート面の上の変位と、その後の前記除去のための持上げと、により発生する、請求項２２〜２４のいずれか１項に記載の方法。